(57)【要約】【課題】昇降路内への搬入または昇降路外への搬出の作業を容易にすることができるエレベータの制御盤を得る。【解決手段】昇降路１の内壁に設けられる箱形状の第１のユニット７と、第１のユニット７の端面に重ねて立設された箱形状の第２のユニット８と、第１のユニット７の側面に第１の回動軸９を介して設けられ、第１のユニット７に対して第１の回動軸９を中心に回動可能な第１の連結材１０と、第２のユニット８の側面に第２の回動軸１１を介して設けられ、第２のユニット８に対して第２の回動軸１１を中心に回動可能な第２の連結材１２と、第１の連結材１０と第２の連結材１２との間に渡って設けられ、第１の連結材１０および第２の連結材１２とともに、第１のユニット７に対して第２のユニット８を回動可能にして第１のユニット７の正面と第２のユニット８の正面とを対向可能にする第３の回動軸１３とを備えている。【選択図】図２
2010042881.tif 000002
【特許請求の範囲】
【請求項１】
昇降路の内壁に設けられる箱形状の第１のユニットと、
前記第１のユニットの端面に重ねて立設された箱形状の第２のユニットと、
前記第１のユニットの側壁に第１の回動軸を介して設けられ、前記第１のユニットに対して前記第１の回動軸を中心に回動可能な第１の連結材と、
前記第２のユニットの側壁に前記第１の回動軸と平行な第２の回動軸を介して設けられ、前記第２のユニットに対して前記第２の回動軸を中心に回動可能な第２の連結材と、
前記第１の連結材と前記第２の連結材との間に渡って設けられ、前記第１の連結材および前記第２の連結材とともに、前記第１のユニットに対して前記第２のユニットを回動可能にして前記第１のユニットの正面と前記第２のユニットの正面とを対向可能にさせる対向手段とを備えたことを特徴とするエレベータの制御盤。
【請求項２】
前記対向手段は、前記第１の連結材および前記第２の連結材に連結され、前記第１の連結材と前記第２の連結材とを互いに回動可能にする、前記第１の回動軸と平行な第３の回動軸であり、
前記第１のユニットの端面に前記第２のユニットが接触した状態では、前記第１の回動軸の軸線方向に沿って視たときに、前記第１の回動軸と前記第３の回動軸とを結ぶ直線に対して、前記第２の回動軸と前記第３の回動軸とを結ぶ直線が傾斜しており、前記第１の回動軸および前記第３の回動軸を結ぶ直線と前記第２の回動軸および前記第３の回動軸を結ぶ直線とが重なる方向に前記第１の連結材および前記第２の連結材が回動することで、前記第１のユニットと前記第２のユニットとが互いに離間することを特徴とする請求項１に記載のエレベータの制御盤。
【請求項３】
前記対向手段は、前記第１の連結材に連結された、前記第１の回動軸と平行な第３の回動軸と、前記第２の連結材に連結された、前記第１の回動軸と平行な第４の回動軸と、前記第３の回動軸および前記第４の回動軸に連結された、前記第１の連結材および前記第２の連結材に対して回動可能な第３の連結材とから構成され、
前記第１のユニットの端面に前記第２のユニットが接触した状態では、前記第１の回動軸の軸線方向に沿って視たときに、前記第１の回動軸と前記第３の回動軸とを結ぶ直線に対して、前記第２の回動軸と前記第４の回動軸とを結ぶ直線が傾斜しており、前記第１の回動軸および前記第３の回動軸を結ぶ直線と前記第２の回動軸および前記第４の回動軸を結ぶ直線とが重なる方向に前記第１の連結材および前記第２の連結材が回動することで、前記第１のユニットと前記第２のユニットとが互いに離間することを特徴とする請求項１に記載のエレベータの制御盤。
【請求項４】
前記第１の回動軸および前記第２の回動軸は、前記第１の連結材および前記第２の連結材を前記第１のユニットおよび前記第２のユニットに締め付け可能であることを特徴とする請求項１ないし請求項３の何れか１項に記載のエレベータの制御盤。
【発明の詳細な説明】
【技術分野】
【０００１】
この発明は、昇降路の内壁に設けられるエレベータの制御盤に関する。
【背景技術】
【０００２】
従来、電源から入力された電流を変換して巻上機へ出力する主回路制御部と、主回路制御部へ信号を送ることで巻上機への電流を制御する信号制御部とを収納し、機械室に設けられる箱形状のエレベータの制御盤が知られている（例えば、特許文献１参照）。
【０００３】
【特許文献１】特開平１１−２１０３６号公報
【発明の開示】
【発明が解決しようとする課題】
【０００４】
しかしながら、このものの場合、昇降路の内壁に取り付けるためには、かご等の昇降を妨げないように厚み方向を薄くし、さらに、昇降路内の他の機器との干渉を避けるために、横幅方向の寸法を小さくしなければならず、その結果、縦方向の寸法を大きくしなければならない。
縦方向の寸法が大きくなったエレベータの制御盤は、昇降路内への搬入または昇降路外への搬出の作業が困難となってしまうという問題点があった。
【０００５】
この発明は、上述のような問題点を解決することを課題とするものであって、その目的は、昇降路内への搬入または昇降路外への搬出の作業を容易にすることができるエレベータの制御盤を提供するものである。
【課題を解決するための手段】
【０００６】
この発明に係るエレベータの制御盤は、昇降路の内壁に設けられる箱形状の第１のユニットと、前記第１のユニットの端面に重ねて立設された箱形状の第２のユニットと、前記第１のユニットの側壁に第１の回動軸を介して設けられ、前記第１のユニットに対して前記第１の回動軸を中心に回動可能な第１の連結材と、前記第２のユニットの側壁に前記第１の回動軸と平行な第２の回動軸を介して設けられ、前記第２のユニットに対して前記第２の回動軸を中心に回動可能な第２の連結材と、前記第１の連結材と前記第２の連結材との間に渡って設けられ、前記第１の連結材および前記第２の連結材とともに、前記第１のユニットに対して前記第２のユニットを回動可能にして前記第１のユニットの正面と前記第２のユニットの正面とを対向可能にさせる対向手段とを備えている。
【発明の効果】
【０００７】
この発明に係るエレベータの制御盤によれば、第１のユニットに対して第２のユニットを回動させて第１のユニットの正面と第２のユニットの正面とを対向させることができるので、昇降路内への搬入または昇降路外への搬出の作業を容易にすることができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係る制御盤６が取り付けられたエレベータを示す断面図である。
この実施の形態に係る制御盤６が取り付けられるエレベータは、機械室レスであり、昇降路１と、この昇降路１の内側を昇降するかご２と、昇降路１内に設けられ、かご２と反対方向に昇降する釣合い錘３とを備えている。
また、このエレベータは、一端部がかご２に連結され、他端部が釣合い錘３に連結されたロープ４と、このロープ４を巻き掛けられ、ロープ４を介してかご２および釣合い錘３を昇降させる巻上機５と、昇降路１の内壁に設けられた、巻上機５の駆動を制御する制御盤６とを備えている。
【０００９】
図２（ａ）は図１の制御盤６を示す正面図、図２（ｂ）は図２（ａ）の制御盤６を示す側面図、図２（ｃ）は図２（ｂ）の第１の連結材１０と第２の連結材１２とを分解して示した正面図である。
この制御盤６は、箱形状の第１のユニット７と、この第１のユニット７の上端面に重ねて設けられた第２のユニット８とを備えている。
第１のユニット７の側面と第２のユニット８の側面は同一方向を向いている。
【００１０】
第１のユニット７の両側壁のそれぞれの外面には、第１の回動軸９の一端部が取り付けられ、この第１の回動軸９の他端部には、平板形状の第１の連結材１０が取り付けられている。
第１の連結材１０は、第１の回動軸９を中心に、第１のユニット７に対して回動可能となっており、また、第１のユニット７の側壁に対して、第１の連結材１０は平行に配置されている。
【００１１】
第２のユニット８の両側壁のそれぞれの外面には、第１の回動軸９に平行した第２の回動軸１１の一端部が取り付けられ、この第２の回動軸１１の他端部には、平板形状の第２の連結材１２が取り付けられている。
第２の連結材１２は、第２の回動軸１１を中心に、第２のユニット８に対して回動可能となっており、また、第２のユニット８の側壁に対して、第２の連結材１２は平行に配置されている。
【００１２】
第１の連結材１０および第２の連結材１２には、第１の回動軸９に平行した対向手段である第３の回動軸１３が取り付けられている。
第１の連結材１０および第２の連結材１２は、第３の回動軸１３を中心に、互いに回動可能となっている。
第１のユニット７の上端面に第２のユニット８が接触した状態では、第１の回動軸９の軸線方向に沿って視たときに、第１の回動軸９と第３の回動軸１３とを結ぶ直線に対して、第２の回動軸１１と第３の回動軸１３とを結ぶ直線が傾斜している。
【００１３】
第１のユニット７の内部には、電源から入力された３相交流の電流を直流に変換するコンバータと、このコンバータによって変換された直流の電流を交流に変換して巻上機５へ出力するインバータとを有した主回路制御部（図示せず）が収納されている。
第２のユニット８の内部には、主回路制御部へ信号を送ることで巻上機５への電流を制御する電流制御部（図示せず）が収納されている。
第１のユニット７および第２のユニット８のそれぞれの正面には、図示しない開き戸が設けられている。
これらの開き戸を開くことで、主回路制御部および電流制御部の修理点検等を行うことができる。
第１の回動軸９、第１の連結材１０、第２の回動軸１１、第２の連結材１２および第３の回動軸１３は、第１のユニット７および第２のユニット８の側壁に設けられているので、第１のユニット７および第２のユニット８のそれぞれの正面に設けられた開き戸は、第１の回動軸９、第１の連結材１０、第２の回動軸１１、第２の連結材１２および第３の回動軸１３に干渉されることなく、開くことができる。
【００１４】
第１の連結材１０には、貫通孔１０ａおよび貫通孔１０ｂが形成され、第２の連結材１２には、貫通孔１２ａおよび貫通孔１２ｂが形成されている。
第１のユニット７の端面に第２のユニット８が接触した状態では、貫通孔１０ａと貫通孔１２ａとが互いに重ねられており、内部には規制ピン１４ａが着脱可能に設けられている。
また、第１のユニット７の端面に第２のユニット８が接触した状態では、貫通孔１０ｂと貫通孔１２ｂとが互いに重ねられており、内部には規制ピン１４ｂが着脱可能に設けられている。
規制ピン１４ａを貫通孔１０ａおよび貫通孔１２ａに差し込み、規制ピン１４ｂを貫通孔１０ｂおよび貫通孔１２ｂに差し込むことで、第１の連結材１０に対する第２の連結材１２の回動が規制される。
また、第１のユニット７の側壁の外面には、規制ピン１４ａの先端部が嵌合可能な穴（図示せず）が形成され、第２のユニット８の側壁の外面には、規制ピン１４ｂの先端部が嵌合可能な穴（図示せず）が形成されている。
貫通孔１０ａおよび貫通孔１２ａに差し込まれた規制ピン１４ａの先端部を第１のユニット７の穴に嵌合し、貫通孔１０ｂおよび貫通孔１２ｂに差し込まれた規制ピン１４ｂの先端部を第２のユニット８の穴に嵌合することで、第１の連結材１０および第２の連結材１２は第１のユニット７および第２のユニット８に固定される。
【００１５】
図３（ａ）は図２（ｂ）の規制ピン１４ａおよび規制ピン１４ｂを取り除いた制御盤６を示す側面図、図３（ｂ）は図３（ａ）の第１のユニット７と第２のユニット８とを離間させた制御盤６を示す側面図である。
規制ピン１４ａおよび規制ピン１４ｂを貫通孔１０ａおよび貫通孔１２ａから取り外すことで、第１のユニット７に対して第１の連結材１０が回動可能となり、第１の連結材１０および第２のユニット８に対して、第２の連結材１２が回動可能となる。
第１の回動軸９および第３の回動軸１３を結ぶ直線と、第２の回動軸１１および第３の回動軸１３を結ぶ直線とが重なる方向に、第１の連結材１０および第２の連結材１２を回動させることで、第１のユニット７の上端部と第２のユニット８の下端部とが離間した位置となる。
第２の連結材１２には、貫通孔１２ｃが形成されており、この貫通孔１２ｃには、規制ピン１５が着脱可能となっている。
規制ピン１５を貫通孔１２ｃに差し込み、さらに、この規制ピン１５の先端部を第２のユニット８の側壁の外面に形成された穴（図示せず）に嵌合することで、第２の連結材１２に対する第２のユニット８の回動が規制される。
【００１６】
図４は第１のユニット７に対して第２のユニット８が回動して、第１のユニット７の正面と第２のユニット８の正面とが対向する動作を示す側面図である。
第１のユニット７に対して第２のユニット８を回動させて、第１のユニット７の正面と第２のユニット８の正面とを対向させるには、まず、規制ピン１５によって第２の連結材１２に対する第２のユニット８の回動を規制する。
次に、第３の回動軸１３を中心に第２の連結材１２を回動させることで、第１のユニット７に対して第２のユニット８が回動して、第１のユニット７の正面と第２のユニット８の正面とが対向する。
このとき、第１のユニット７の上端部と第２のユニット８の下端部とが離間しているので、第２のユニット８は第１のユニット７に対してスムーズに回動できる。
また、規制ピン１５により第２の連結材１２に対する第２のユニット８の回動が規制されているので、第１のユニット７に対して第２のユニット８が回動する際に、第２のユニット８が昇降路１の内壁に接触することを抑制することができる。
【００１７】
以上説明したように、この実施の形態に係るエレベータの制御盤６によれば、第１のユニット７に対して第２のユニット８を回動させて第１のユニット７の正面と第２のユニット８の正面とを対向させることができるので、昇降路１内への搬入または昇降路１外への搬出の作業を容易にすることができる。
また、様々な種類の主回路制御部および電流制御部の両方を収納するように１つのユニットを形成する場合と比較して、主回路制御部の種類に合わせて第１のユニット７を形成し、電流制御部の種類に合わせて第２のユニット８を形成するので、制御盤６の小型化を図ることができる。
また、第１のユニット７の内部の主回路制御部と第２のユニット８の内部の電流制御部とを接続した状態での機能点検を行うことができるので、制御盤６の製造効率を向上させることができる。
また、第１のユニット７と第２のユニット８とを分割して、それぞれを包装する場合と比べて、第１のユニット７と第２のユニット８とを折り畳んだ状態で包装することができるので、包装の減量化を図ることができる。
また、第１のユニット７と第２のユニット８とを分割して、それぞれを個別に輸送する場合と比べて、第１のユニット７と第２のユニット８とを一緒に輸送することができるので、輸送の効率化を図ることができる。
【００１８】
また、第１のユニット７に対して第１の連結材１０を回動可能にした第１の回動軸９と、第２のユニット８に対して第２の連結材１２を回動可能にした第２の回動軸１１と、第１の連結材１０に対して第２の連結材１２を回動可能にした第３の回動軸１３とを備え、第１のユニット７の上端面に第２のユニット８が接触した状態では、第１の回動軸９と第３との回動軸１３とを結ぶ直線に対して、第２の回動軸１１と第３の回動軸１３とを結ぶ直線が傾斜しており、第１の回動軸９および第３の回動軸１３を結ぶ直線と第２の回動軸１１および第３の回動軸１３を結ぶ直線とが重なる方向に、第１の連結材１０および第２の連結材１２を回動することで、第１のユニット７と第２のユニット８とが離間するので、簡単な構成で、第１のユニット７に対して第２のユニット８を回動させることができる。
【００１９】
なお、この実施の形態では、第１のユニット７の側壁の外面に設けられた第１の連結材１０と、第２のユニット８の側壁の外面に設けられた第２の連結材１２とを備えた制御盤６について説明したが、勿論このものに限らず、第１のユニット７の側壁の内面に設けられた第１の連結材１０と、第２のユニット８の内面に設けられた第２の連結材１２とを備えた制御盤６であってもよい。
この場合、第３の回動軸１３は、第１のユニット７および第２のユニット８の内側に設けられる。
【００２０】
実施の形態２．
図５（ａ）はこの実施の形態に係るエレベータの制御盤６の第１のユニット７と第２のユニット８とを離間させた状態を示す正面図、図５（ｂ）は図５（ａ）の制御盤６を示す側面図である。
この実施の形態に係るエレベータの制御盤６は、第１のユニット７と第１の連結材１０との間に、第１の回動軸９に貫通されたスペーサ１６が設けられている。
このスペーサ１６は第２の連結材１２と同等の厚みに形成されている。
【００２１】
第１の回動軸９は、頭部にフランジ部を有したねじ形状に形成されており、第１のユニット７に螺着している。
第１の回動軸９を回動させて、第１の回動軸９の頭部が第１の連結材１０を第１のユニット７に締め付けることで、第１の連結材１０が第１のユニット７に固定される。
第２の回動軸１１も、頭部にフランジ部を有したねじ形状に形成されており、第２のユニット８に螺着している。
第２の回動軸１１を回動させて、第２の回動軸１１の頭部が第２の連結材１２を第２のユニット８に締め付けることで、第２の連結材１２が第２のユニット８に固定される。
その他の構成は、実施の形態１と同様である。
【００２２】
図５（ｃ）は図５（ｂ）の第１のユニット７と第２のユニット８とを接触させた状態を示す側面図である。
制御盤６を昇降路１の内壁に設置した状態では、実施の形態１と同様にして、規制ピン１４ａおよび規制ピン１４ｂによって、第１のユニット７、第２のユニット８、第１の連結材１０および第２の連結材１２が強固に固定されている。
さらに、第１の回動軸９および第２の回動軸１１を回動させて、第１の連結材１０が第１のユニット７に固定され、第２の連結材１２が第２のユニット８に固定されている。
これにより、実施の形態１に係る制御盤６と比較して、第１のユニット７、第２のユニット８、第１の連結材１０および第２の連結材１２がさらに強固に固定される。
【００２３】
この実施の形態に係るエレベータの制御盤６によれば、第１の回動軸９および第２の回動軸１１は、第１の連結材１０および第２の連結材１２を第１のユニット７および第２のユニット８に締め付け可能であるので、第１のユニット７、第２のユニット８、第１の連結材１０および第２の連結材１２をさらに強固に固定することができる。
【００２４】
実施の形態３．
図６（ａ）はこの実施の形態に係るエレベータの制御盤６を示す側面図、図６（ｂ）は図６（ａ）の第１のユニット７と第２のユニット８とを離間させた制御盤６を示す側面図、図６（ｃ）は図６（ｂ）の制御盤６の正面図である。
この実施の形態に係るエレベータの制御盤６は、第１の連結材１０に連結された第３の回動軸１７と、第２の連結材１２に連結された第４の回動軸１８と、第３の回動軸１７および第４の回動軸１８に連結された第３の連結材１９とを備えている。
第３の連結材１９は、第１の連結材１０に対して第３の回動軸１７を中心に回動可能であり、また、第２の連結材１２に対して第４の回動軸１８を中心に回動可能となっている。
第３の回動軸１７および第４の回動軸１８は、第１の回動軸９と平行になっている。
第１のユニット７の上端面に第２のユニット８が接触した状態では、第１の回動軸９の軸線方向に沿って視たときに、第１の回動軸９と第３の回動軸１７とを結ぶ直線に対して、第２の回動軸１１と第４の回動軸１８とを結ぶ直線が傾斜している。
【００２５】
第３の連結材１９には、貫通孔１９ａおよび貫通項１９ｂが形成されており、第１のユニット７の上端面に第２のユニット８が接触しているときには、貫通項１９ａに、規制ピン２０が取り付けられ、貫通孔１９ｂに規制ピン２１が取り付けられる。
貫通孔１９ａに取り付けられた規制ピン２０は、さらに、第１の連結材１０に形成された貫通孔（図示せず）を貫通し、規制ピン２０の先端部を第１のユニット７の側面に形成された穴（図示せず）に嵌合する。
これにより、第１のユニット７に対する第１の連結材１０の回動が規制されるとともに、第１の連結材１０に対する第３の連結材１９の回動が規制される。
一方、貫通孔１９ｂに取り付けられた規制ピン２１は、さらに、第２の連結材１２に形成された貫通孔（図示せず）を貫通し、規制ピン２１の先端部を第２のユニット８の側面に形成された穴（図示せず）に嵌合する。
これにより、第３に対する第２の連結材１２の回動が規制されるとともに、第２の連結材１２に対する第２のユニット８の回動が規制される。
【００２６】
規制ピン２０および規制ピン２１を取り外し、第１の回動軸９および第３の回動軸１７を結ぶ直線と、第２の回動軸１１および第４の回動軸１８を結ぶ直線とが重なる方向に、第１の連結材１０および第２の連結材１２を回動することで、第１のユニット７と第２のユニット８とが離間する。
第１のユニット７および第２のユニット８の側壁の外面には、第１のユニット７と第２のユニット８とを離間させたときに、第３の連結材１９に当接する当接ピン２２が着脱可能に２本設けられている。
当接ピン２２は、第３の連結材１９の側面に当接することで、第３の連結材１９が第１のユニット７および第２のユニット８の裏面側へ移動することが規制される。
【００２７】
第１の連結材１０には、貫通孔１０ｃが形成されており、第１のユニット７と第２のユニット８とが離間した後に、この貫通孔１０ｃに規制ピン２３が取り付けられる。
貫通孔１０ｃに取り付けられた規制ピン２３は、さらに、第１のユニット７の側面に形成された穴（図示せず）に嵌合する。
これにより、第１のユニット７に対する第１の連結材１０の回動が規制される。
第２の連結材１２には、貫通孔１２ｄが形成されており、第１のユニット７と第２のユニット８とが離間した後に、この貫通孔１２ｄに規制ピン２４が取り付けられる。
貫通孔１２ｄに取り付けられた規制ピン２４は、さらに、第２のユニット８の側面に形成された穴（図示せず）に嵌合する。
これにより、第２の連結材１２に対する第２のユニット８の回動が規制される。
その他の構成は、実施の形態１と同様である。
【００２８】
図７は図６（ｂ）の第１のユニット７に対して第２のユニット８が回動して、第１のユニット７の正面と第２のユニット８の正面とが対向する動作を示す側面図である。
第１のユニット７に対して第２のユニット８を回動させて、第１のユニット７の正面と第２のユニット８の正面とを対向させるには、まず、第１のユニット７と第２のユニット８とを離間させた状態で、規制ピン２３および規制ピン２４によって、第１のユニット７に対する第１の連結材１０の回動を規制し、第２の連結材１２に対する第２のユニット８の回動を規制する。
次に、第１のユニット７および第２のユニット８に２本の当接ピン２２を取り付けて、第３の連結材１９が第１のユニット７および第２のユニット８の裏面側へ移動することを規制する。
最後に、第３の回動軸１７を中心に第３の連結材１９を回動させ、第４の回動軸１８を中心に第２の連結材１２を回動させて、第１のユニット７の正面と第２のユニット８の正面とを対向させる。
【００２９】
この実施の形態に係るエレベータの制御盤６によれば、第１のユニット７に対して第１の連結材１０を可動可能にした第１の回動軸９と、第２のユニット８に対して第２の連結材１２を回動可能にした第２の回動軸１１と、第１の連結材１０に連結された第３の回動軸１７と、第２の連結材１２に連結された第４の回動軸１８と、第３の回動軸１７および第４の回動軸１８に連結された、第１の連結材１０および第２の連結材１２に対して回動可能な第３の連結材１９とを備え、第１のユニット７の上端面に第２のユニット８が接触した状態では、第１の回動軸９と第３の回動軸１７とを結ぶ直線に対して、第２の回動軸１１と第４の回動軸１８とを結ぶ直線が傾斜しており、第１の回動軸９および第３の回動軸１７を結ぶ直線と第２の回動軸１１および第４の回動軸１８を結ぶ直線とが重なる方向に、第１の連結材１０および第２の連結材１２を回動することで、第１のユニット７と第２のユニット８とが離間するので、簡単な構成で、第１のユニット７に対して第２のユニット８を回動させることができる。
【図面の簡単な説明】
【００３０】
【図１】この発明の実施の形態１に係る制御盤が取り付けられたエレベータを示す断面図である。
【図２】図２（ａ）は図１の制御盤を示す正面図、図２（ｂ）は図２（ａ）の制御盤を示す側面図、図２（ｃ）は図２（ｂ）の第１の連結材と第２の連結材とを分解して示した正面図である。
【図３】図３（ａ）は図２（ｂ）の規制ピンおよび規制ピンを取り除いた制御盤を示す側面図、図３（ｂ）は図３（ａ）の第１のユニットと第２のユニットとを離間させた制御盤６を示す側面図である。
【図４】第１のユニットに対して第２のユニットが回動して、第１のユニットの正面と第２のユニットの正面とが対向する動作を示す側面図である。
【図５】図５（ａ）はこの発明の実施の形態２に係るエレベータの制御盤の第１のユニットと第２のユニットとを離間させた状態を示す正面図、図５（ｂ）は図５（ａ）の制御盤を示す側面図である。
【図６】図６（ａ）はこの発明の実施の形態３に係るエレベータの制御盤を示す側面図、図６（ｂ）は図６（ａ）の第１のユニットと第２のユニットとを離間させた制御盤を示す側面図、図６（ｃ）は図６（ｂ）の制御盤の正面図である。
【図７】図６（ｂ）の第１のユニットに対して第２のユニットが回動して、第１のユニットの正面と第２のユニットの正面とが対向する動作を示す側面図である。
【符号の説明】
【００３１】
１  昇降路、２  かご、３  釣合い錘、４  ロープ、５  巻上機、６  制御盤、７  第１のユニット、８  第２のユニット、９  第１の回動軸、１０  第１の連結材、１０ａ  貫通孔、１０ｂ  貫通孔、１０ｃ  貫通孔、１１  第２の回動軸、１２  第２の連結材、１２ａ  貫通孔、１２ｂ  貫通孔、１２ｃ  貫通孔、１２ｄ  貫通孔、１３  第３の回動軸（対向手段）、１４ａ  規制ピン、１４ｂ  規制ピン、１５  規制ピン、１６  スペーサ、１７  第３の回動軸、１８  第４の回動軸、１９  第３の連結材、２０  規制ピン、２１  規制ピン、２２  当接ピン、２３  規制ピン、２４  規制ピン。
【図１】
2010042881.tif 000003
【図２】
2010042881.tif 000004
【図３】
2010042881.tif 000005
【図４】
2010042881.tif 000006
【図５】
2010042881.tif 000007
【図６】
2010042881.tif 000008
【図７】
2010042881.tif 000009